(57)【要約】【課題】省電力且つ簡素な構造で発電性能を向上できる燃料電池スタックおよび燃料電池システムを提供する。【解決手段】ガス供給を受けて発電するセル１１が複数積層されて構成される燃料電池スタック１０であって、セル１１のうち積層方向両端側の端部セル１１ａにおける電流密度が、積層方向中央側のセル１１ｂにおける電流密度よりも高く設定されている。【選択図】図６
2007234340.tif 000002
【特許請求の範囲】
【請求項１】
ガス供給を受けて発電するセルが複数積層されて構成される燃料電池スタックであって、
前記セルのうち積層方向両端に位置する端部セルにおける電流密度が、積層方向中央側のセルにおける電流密度よりも高く設定されている燃料電池スタック。
【請求項２】
請求項１に記載の燃料電池スタックであって、
前記端部セルにおける発電面積が、前記積層方向中央側のセルにおける発電面積よりも小さく設定されている燃料電池スタック。
【請求項３】
請求項１又は２に記載の燃料電池スタックであって、
前記端部セルにおける発電可能面積とこの端部セルの積層方向外面側に配置された集電体との接触面積が、前記端部セルにおける発電可能面積よりも小さく設定されている燃料電池スタック。
【請求項４】
請求項１又は２に記載の燃料電池スタックであって、
前記端部セルの積層方向外面に面方向に相互離間して配置された複数の集電体と、
前記複数の集電体からの集電の有無を選択的に切り換える切換部と、を備える燃料電池スタック。
【発明の詳細な説明】
【技術分野】
【０００１】
本発明は、燃料電池スタックに関し、特に積層方向両端側のセルの発電性能低下防止に関する。
【背景技術】
【０００２】
近年、燃料ガスと酸化ガスとの電気化学反応によって発電する燃料電池をエネルギ源とする燃料電池自動車等が注目されている。
【０００３】
このような燃料電池としては、電解質膜の両側に電極を配置するとともに、これら電極のさらに両外側にセパレータを配置してなるセルを複数積層した燃料電池スタックが通常用いられている。この燃料電池スタックにおいて、上記したセパレータは、隣接する電極への反応ガス（燃料ガス又は酸化ガス）の供給と、隣り合うセル同士間の反応ガスの隔離と、隣接する電極からの集電とを行うようになっており、さらには隣接する電極とは反対側に冷却媒体を流すための冷却流路を形成するようになっている。
【０００４】
ところで、燃料電池スタックにおいて、発電性能を維持するためには、各セルを一定温度に保つ必要があるが、積層方向両端側のセルは、中央側のセルよりも放熱量が大きいため、積層方向両端側のセルの温度が中央側のセルの温度よりも低くなり、発電性能が低下してしまう。
【０００５】
このため、積層方向両端のセルのセパレータの冷却流路を、中央側のセルのセパレータの冷却流路よりも減らすことによって発電性能の低下を防止する技術がある（例えば、特許文献１参照）。
【特許文献１】特開２００２−２１６８０６号公報
【発明の開示】
【発明が解決しようとする課題】
【０００６】
しかしながら、上記のように冷却流路の数を異ならせるのでは、例えば低温時における発電性能低下防止の効果が低い等の理由から、積層方向両端のセルの外側にヒータを設置し、加熱する必要があった。つまり、このような構造にすると、ヒータの加熱のために余分な電力が必要になり、また、ヒータを制御する回路が必要でシステムが複雑になってしまう可能性があった。
【０００７】
そこで、本発明は、省電力且つ簡素な構造で発電性能を向上できる燃料電池スタックを提供することを目的とする。
【課題を解決するための手段】
【０００８】
上記目的を達成するため、本発明は、ガス供給を受けて発電するセルが複数積層されて構成される燃料電池スタックであって、前記セルのうち積層方向両端に位置する端部セルにおける電流密度が、積層方向中央側のセルにおける電流密度よりも高く設定されている。
【０００９】
例えば、前記端部セルにおける発電面積が、前記積層方向中央側のセルにおける発電面積よりも小さく設定されていてもよい。
【００１０】
また、前記端部セルにおける発電可能面積とこの端部セルの積層方向外面側に配置された集電体との接触面積が、前記端部セルにおける発電可能面積よりも小さく設定されていてもよい。
【００１１】
かかる構成とすることによって、電流密度が高い積層方向両端側の端部セルは、電流密度が低い積層方向中央側のセルよりも発熱量が多くなる。これにより、積層方向中央側のセルと比較して放熱量が多い端部セルの温度の低下を抑制でき、積層方向における温度分布の不均一を抑制できる。しかも、端部セルの電流密度を積層方向中央側のセルの電流密度よりも高くするだけ良いため、ヒータが不要であり、省電力且つ簡素な構造で発電性能を向上できる。
【００１２】
本発明の燃料電池スタックは、さらに、前記端部セルの積層方向外面に面方向に相互離間して配置された複数の集電体と、前記複数の集電体からの集電の有無を選択的に切り換える切換部と、を備えてもよい
【００１３】
かかる構成とすることによって、端部セルにおける発電可能面積とこの端部セルの積層方向外面に配置された集電体との接触面積が調整可能となる。これにより、端部セルにおける電流密度を積層方向中央側のセルにおける電流密度よりも高くすることができるだけでなく、端部セルにおける電流密度の可変制御が可能となる。
【発明の効果】
【００１４】
本発明によれば、省電力且つ簡素な構造で発電性能を向上できる。
【発明を実施するための最良の形態】
【００１５】
次に、本発明の第１実施形態を図１〜図８を参照しつつ説明する。
【００１６】
図１は、燃料電池スタック１０を概略的に示すものである。この燃料電池スタック１０は、燃料電池自動車の車載発電システムや船舶、航空機、電車あるいは歩行ロボット等のあらゆる移動体用の発電システム、さらには、建物（住宅、ビル等）用の発電設備として用いられる定置用発電システム等に適用可能であるが、具体的には自動車用となっている。
【００１７】
燃料電池スタック１０は、燃料ガスと酸化ガスの供給を受けて発電するセル１１を複数積層して構成されるもので、各セル１１は、図２に示すように、固体高分子型電解質膜１２及びこの固体高分子型電解質膜１２の両面に配置される一対のアノード電極１３及びカソード電極１４からなるＭＥＡ（Ｍｅｍｂｒａｎｅ  Ｅｌｅｃｔｒｏｄｅ  Ａｓｓｅｍｂｌｙ）１５と、ＭＥＡ１５のアノード電極１３及びカソード電極１４の更に外側に配置されるアノード側セパレータ１６及びカソード側セパレータ１７とで構成されている。
【００１８】
各セル１１において、アノード電極１３に隣接するアノード側セパレータ１６は、隣接するアノード電極１３への燃料ガス（例えば水素ガス）の供給と、隣り合うセル１１との間の反応ガスの隔離と、隣接するアノード電極１３からの集電とを行うもので、アノード電極１３側の面に燃料ガスをアノード電極１３に供給するための燃料ガス流路２０が形成され、アノード電極１３とは反対側の面に冷却媒体を流すための冷却流路２１が形成されている。
【００１９】
また、各セル１１において、カソード電極１４に隣接するカソード側セパレータ１７は、隣接するカソード電極１４への酸化ガス（例えば空気）の供給と、隣り合うセル１１との間の反応ガスの隔離と、隣接するカソード電極１４からの集電とを行うもので、カソード電極１４側の面に酸化ガスをカソード電極１４に供給するための酸化ガス流路２２が形成されている。
【００２０】
そして、上記構成のセル１１が、隣り合うもの同士がアノード側セパレータ１６とカソード側セパレータ１７とを互いに重ね合わせるようにして複数積層されている。
【００２１】
図１に示すように、積層方向両端部に位置するセル１１（以下、端部セル１１ａ）の両外面側には、電力取出用の一対のターミナルプレート（集電体）２５が設けられている。これらのターミナルプレート２５は、図３に示すように、端部セル１１ａの内側所定範囲に接合される大きさとされている。なお、符号２６は電力取出用の端子部である。
【００２２】
ここで、積層方向中央側のセル１１（以下、積層方向中央側のセル１１ｂ）における図４に二点鎖線で囲んだ発電可能範囲Ｚ１の発電可能面積Ｓよりも、端部セル１１ａにおける図５に二点鎖線で囲んだ発電範囲Ｚ２の発電面積Ｓ’が小さくなるように、端部セル１１ａに接合するターミナルプレート２５の接触面積が設定されている。
【００２３】
つまり、端部セル１１ａは、発電可能な電極面積を積層方向中央側のセル１１ｂを含む他の全てのセル１１と同等に有しているが、ターミナルプレート２５の接触面積がこの電極面積よりも小さくされていることで、発電面積Ｓ’が、積層方向中央側のセル１１ｂの発電面積Ｓよりも小さく（狭く）なっている。
【００２４】
なお、発電可能範囲Ｚ１とは、発電に寄与し得る最大の範囲であって、本実施形態では、電極１３，１４とガス流路２０，２２とが平面視にて重複する部分を少なくとも包含している。また、発電範囲Ｚ２とは、発電に寄与し得る範囲のうち実際に発電している範囲であって、本実施形態では、発電可能範囲Ｚ１と集電体であるターミナルプレート２５とが平面視にて重複する部分をいう。
【００２５】
そして、総電流Ｘ〔Ａ〕を得る場合、積層方向中央側のセル１１ｂの電流密度は、Ｘ／Ｓ〔Ａ／ｃｍ２〕となり、端部セル１１ａの電流密度は、Ｘ／Ｓ’〔Ａ／ｃｍ２〕となって、上記のようにＳ＞Ｓ’であることから、端部セル１１ａの電流密度Ｘ／Ｓ’＞積層方向中央側のセル１１ｂの電流密度Ｘ／Ｓとなる。
【００２６】
ここで、この端部セル１１ａの発電面積及び電流密度の関係から、積層方向両端側のいくつかのセル１１において、これらよりも中央側にあるセル１１よりも発電面積が小さく、よって電流密度が大きくなる。ただし、これらの積層方向両端側のいくつかのセル１１において、端部セル１１ａの発電面積が最も小さく、よって電流密度が最も大きく、中央側に位置するほど、発電面積が徐々に大きく、電流密度が徐々に小さくなる。
【００２７】
つまり、積層方向両端側のセル１１における発電面積を、積層方向中央側のセル１１における発電面積よりも小さくすることで、図６（Ａ）に二点鎖線で模式的に示すように、端部セル１１ａにおける電流密度が、積層方向中央側のセル１１ｂにおける電流密度よりも高くなっている。
【００２８】
電流密度〔Ａ／ｃｍ２〕とセル電圧〔Ｖ〕との関係を示すと、図７に示すように、小さい電流密度Ｘ／Ｓである積層方向中央側のセル１１ｂのセル電圧が、大きい電流密度Ｘ／Ｓ’である端部セル１１ａのセル電圧よりも低くなり、この電圧の低下分、図６（Ｂ）に示すように、端部セル１１ａの発熱量が積層方向中央側のセル１１ｂよりも増加することになる。
【００２９】
以上に述べた第１実施形態によれば、電流密度が高い端部セル１１ａは、電流密度が低い積層方向中央側のセル１１ｂよりも発熱量が多くなる。これにより、積層方向中央側のセル１１ｂと比較して放熱量が多い端部セル１１ａの温度の低下を抑制でき、積層方向における温度分布の不均一を抑制できる。しかも、端部セル１１ａの電流密度を、積層方向中央側のセル１１ｂの電流密度よりも高くすれば良いため、ヒータが不要であり、省電力且つ簡素な構造で発電性能を向上できる。
【００３０】
しかも、端部セル１１ａにおける発電面積を、積層方向中央側のセル１１ｂにおける発電面積よりも小さくするというように、発電面積を異ならせることで、端部セル１１ａの電流密度を、積層方向中央側のセル１１ｂの電流密度よりも高くするため、簡素な構造で発電性能を向上できる。
【００３１】
なお、端部セル１１ａに対するターミナルプレート２５の接触面積を小さくして電流密度を増やし発熱を増加させるためには、上記以外にも、例えば図８に示すように、ターミナルプレート２５が中間所定範囲に端部セル１１ａに対し接触しない非接触部２７を複数有する中抜け状をなすようにしても良い。発電部位のパターンはセル１１の構造に応じて最適な形状に設計することになる。
また、端部セル１１ａ内の電極面積（ＭＥＡ１５の面積）を他のセル１１の電極面積（ＭＥＡ１５の面積）よりも小さくなるように設定してもよい。
【００３２】
次に、本発明の第２実施形態を主に図９を参照して第１実施形態との相違部分を中心に以下に説明する。なお、第１実施形態と同様の部分については、同一の符号を付して説明を略す。
【００３３】
第２実施形態では、端部セル１１ａにおいて、第１実施形態と同様のターミナルプレート２５の両外面側に、本実施形態では一対のサブターミナルプレート（集電体）３０を面方向に相互離間させて配置しており、これらサブターミナルプレート３０からの集電の有無を切り替えるスイッチ（切換部）３１がそれぞれ設けられている。
【００３４】
そして、予想される放熱量に応じて放熱を補うことができるように一対のサブターミナルプレート３０のスイッチ３１のオン・オフを制御する。具体的には、外気温が低い等の理由により放熱量が大きいと予想される場合には、一対のサブターミナルプレート３０のスイッチ３１をオフ状態として、ターミナルプレート２５のみの小さな面積を発電面積とすることで、第１実施形態と同様に端部セル１１ａの発熱量を多くする。
【００３５】
他方、放熱量が小さいと予想される場合には、一対のサブターミナルプレート３０のスイッチ３１をオン状態として、ターミナルプレート２５及び一対のサブターミナルプレート３０の大きな面積を発電面積とし、電流密度を積層方向中央側のセル１１ａに合わせることで、端部セル１１ａの発熱量を少なくする。
【００３６】
この場合、放熱量を推定するシステムと、放熱量を補うために必要な発熱量を算出するシステムと、端部セル１１ａで必要な発熱量を得るために必要な発電面積を算出するシステムと、これらの結果に基づいて発電面積を調整するシステムとが必要になる。
【００３７】
このような第２実施形態によれば、集電体を、ターミナルプレート２５及び一対のサブターミナルプレート３０から構成して、発電面積を切り替えることで発熱量を詳細に制御することができる。この場合、さらにサブターミナルプレート３０の個数を多くすればさらに詳細に発熱量を制御することができる。
【００３８】
なお、複数個の集電体の各部の電流量をチョッパー回路等により個別に制御できるシステムとしても良い。この場合、面内発電分布（発熱分布）を上記よりもきめ細かく制御することで発熱量を厳密に制御できる。
【図面の簡単な説明】
【００３９】
【図１】本発明の第１実施形態を示す断面図である。
【図２】同実施形態のセルを示す断面図である。
【図３】同実施形態の端部セル及びターミナルプレートを示す側面図である。
【図４】同実施形態の積層方向中央側のセルの発電範囲を示す側面図である。
【図５】同実施形態の両端部の端セルの発電範囲を示す側面図である。
【図６】同実施形態の電流密度を模式的に示す断面図（Ａ）及び各セル位置の発熱量を示す特性線図（Ｂ）である。
【図７】電流密度とセル電圧との関係を示す特性線図である。
【図８】同実施形態の端部セル及びターミナルプレートの変形例を示す側面図である。
【図９】本発明の第２実施形態を示す正断面図である。
【符号の説明】
【００４０】
１０…燃料電池スタック、１１…セル、１１ａ…端部セル、１１ｂ…積層方向中央側のセル、２５…ターミナルプレート（集電体）、３０…サブターミナルプレート（集電体）
【図１】
2007234340.tif 000003
【図２】
2007234340.tif 000004
【図３】
2007234340.tif 000005
【図４】
2007234340.tif 000006
【図５】
2007234340.tif 000007
【図６】
2007234340.tif 000008
【図７】
2007234340.tif 000009
【図８】
2007234340.tif 000010
【図９】
2007234340.tif 000011